(57)【要約】      （修正有）【課題】長時間使用しても利用者の脇の下の負担を軽減させることができるとともに、グリップ部の細かな位置の調整ができる杖を提供する。【解決手段】パイプ材からなる本体部２の上端に着脱可能に備えられ、利用者の脇の下に当てるための脇当部３と、脇当部３と本体部２との間で伸縮自在な弾性体部６と、本体部２に設けて利用者が把持するグリップ部４と、グリップ部４の位置を調整する位置調整部７と、位置調整部７を本体部２の下方に移動することを防止する移動防止部５とを用いて杖１を構成する。【選択図】図１
0003205016.tif 000002
【実用新案登録請求の範囲】
【請求項１】
パイプ材からなる本体部と、
前記本体部の上端に着脱可能に備えられ、利用者の脇の下に当てるための脇当部と、
前記本体部に設けられ、利用者が把持するグリップ部と、
前記グリップ部の下端に備えられ、前記本体部の長手方向に移動させて留めることにより、前記グリップ部の位置を調整させる位置調整部と、
前記本体部に巻きつけられ、前記位置調整部を前記本体部の下方に移動することを防止する移動防止部と、
前記脇当部と前記本体部との間に備えられ、伸縮自在な弾性体部とを備えていることを特徴とする杖。
【請求項２】
前記弾性体部と前記本体部との間に挟み込ませて、高さを調整させる高さ調整部を更に備えることを特徴とする請求項１に記載の杖。
【考案の詳細な説明】
【技術分野】
【０００１】
本考案は、歩行を補助するための杖に関するものである。
【背景技術】
【０００２】
従来より、松葉杖や杖は、安全、かつ、快適に使用できるように様々な工夫がなされている。このような工夫としては、例えば、松葉杖の高さの調整やグリップ部の位置の調整を容易にさせること、地面の接地時の衝撃によって利用者の手のひらや脇の下の痛みを緩和させて、長時間使用できるようにすることなどがある。
【０００３】
ここで、特許文献１では、グリップ部に緩衝手段であるクッションを巻くことによって、手のひらにかかる負担を軽減させることができる松葉杖が開示されている。
【０００４】
このような構造であれば、利用者は、手のひらへの負担や痛みが軽減され、長時間松葉杖を使用することができる。
【０００５】
また、特許文献２では、グリップを一対の垂直支持体に取り付けると共に、そのグリップの高さを、グリップ側に取り付けたピンを垂直支持体側に複数形成されたいずれかの孔部に螺合させることにより、位置の調整を可能とする握り部が開示されている。
【０００６】
このような構造であれば、利用者は、調整用のピンをいずれかの孔部に螺合させるだけで、グリップの位置を調整することができる。
【先行技術文献】
【特許文献】
【０００７】
【特許文献１】実開平７−４３０７９号公報
【特許文献２】特開平６−８６７９５号公報
【考案の概要】
【考案が解決しようとする課題】
【０００８】
しかしながら、特許文献１の松葉杖は、緩衝手段であるクッションをグリップ部に装着しているに過ぎない。そのため、長時間松葉杖を使用すれば、地面の接地時の衝撃等によって、利用者の脇の下にかかる負担が大きくなるという欠点が生じる。
【０００９】
また、特許文献２の握り部は、垂直支持体に握り部の高さを調整するための孔部が複数形成された構造となっている。そのために、その垂直支持体に孔部を形成する必要があるので、製作もその分、面倒や手間となると共に、細かな位置の調整が出来ないという欠点が生じる。
【００１０】
そこで、本考案は、前述した課題を解決するためになされたものであり、長時間使用しても利用者の脇の下の負担を軽減させることができるとともに、グリップ部の細かな位置の調整ができる杖の提供を目的としたものである。
【課題を解決するための手段】
【００１１】
本考案は、パイプ材からなる本体部と、本体部の上端に着脱可能に備えられ、利用者の脇の下に当てるための脇当部と、本体部に設けられ、利用者が把持するグリップ部と、グリップ部の下端に備えられ、本体部の長手方向に移動させて留めることにより、グリップ部の位置を調整させる位置調整部と、本体部に巻きつけられ、位置調整部を本体部の下方に移動することを防止する移動防止部と、脇当部と本体部との間に備えられ、伸縮自在な弾性体部とを備えていることを特徴とする。
【００１２】
また、本考案は、弾性体部と本体部との間に挟み込ませて、高さを調整させる高さ調整部を更に備えることを特徴とする。
【考案の効果】
【００１３】
本考案の杖は、パイプ材からなる本体部と、その本体部の上端に着脱可能に備えられ、利用者の脇の下に当てるための脇当部と、その脇当部と本体部との間に備えられ、伸縮自在なコイル状の弾性体部と備えている。そのため、杖を長時間使用しても、弾性体部の緩衝機能により、利用者の脇の下への負担を小さくすることができるという効果を奏する。
【００１４】
また、本考案の杖は、本体部に設けられ、利用者が把持するグリップ部と、そのグリップ部の下端に備えられ、本体部の長手方向に移動させて留めることにより、グリップ部の位置を調整させる位置調整部と、本体部に巻きつけられ、位置調整部を本体部の下方に移動させることを防止する移動防止部とを備えている。そのため、グリップ部の下端に設けられた位置調整部を本体部の長手方向に移動させて留めるだけで、グリップ部の位置を細かく調整することができると共に、移動防止部によって位置調整部が本体部の下方へ移動することを防止させるという効果を奏する。
【００１５】
更に、本考案の杖は、弾性体部と本体部との間に挟み込ませて、高さを調整させる高さ調整部を備えている。そのため、高さ調整部を弾性体部と本体部との間に挟み込むだけで杖の高さを調整することができるので、ボルト等の着脱の作業が不要となり、手間と時間をかけずに利用者の身長にあった状態に杖の高さを調整することができる。
【図面の簡単な説明】
【００１６】
【図１】本考案の第１実施形態に係る杖を説明する全体図である。
【図２】本考案の第１実施形態に係る杖の位置調整部を示す拡大図である。
【図３】本考案の第１実施形態に係る杖の使用状態を示す全体図である。
【図４】本考案の第２実施形態に係る杖を説明する全体図である。
【図５】本考案の第２実施形態に係る杖の使用状態を示す全体図である。
【考案を実施するための形態】
【００１７】
〔第１実施形態〕
以下に、本考案の杖の第１実施形態を各図面に基づいて詳細に説明する。図１は、第１実施形態に係る杖の全体図、図２は、第１実施形態に係る杖の位置調整部を示す拡大図、図３は、第１実施形態に係る杖の使用状態を示す全体図である。
【００１８】
なお、以下の説明において、特に言及がない限り、「下方」とは、地面と接地する杖１の下側を指し、「上方」とは、利用者の脇の下に当てる杖１の上側を指す。
【００１９】
本考案の実施形態に係る杖１は、足腰をケガした人や足腰に障害を持つ人等、主として足腰が不自由な人が使用するものであって、その歩行を補助するために用いられるものである。
【００２０】
図１に示すように、杖１は、主として細い棒状の本体部２、本体部に着脱可能であって利用者の脇の下にあてる脇当部３、利用者が握るグリップ部４、グリップ部４の位置を調整させる位置調整部７、位置調整部７の移動を防止させる移動防止部５、緩衝材の機能を有する伸縮自在なコイル状の弾性体部６、及び地面と接するゴム製の接地部９から構成される。
【００２１】
＜本体部２＞
図１に示すように、本体部２は、グリップ部４、移動防止部５、位置調整部７及び接地部９が備え付けられるアルミニウム製のパイプ材である。
【００２２】
本体部２の長さは約１０００ｍｍ、直径は約２５ｍｍ、その形状は円筒形状である。そして、その素材はアルミニウムの他、ステンレス、木材、樹脂又は鉄等、どのようなものでもよいが、安価、軽量、かつ、丈夫なアルミニウムが特に好ましい。
【００２３】
＜脇当部３＞
脇当部３は、利用者が実際に脇にあてがう部分である脇当て３ａ、及びその脇当て３ａに接続された棒状の支持部３ｂからなるＴ形状の部材である。
【００２４】
脇当部３の素材は、アルミニウム、木材、樹脂又は鉄等、どのような素材でもよいが、利用者の脇下への負担をできる限り軽減させるため、弾力性・柔軟性がある樹脂が特に好ましい。
【００２５】
そして、脇当部３は、支持部３ｂに弾性体部６を取付けて、その状態で本体部２の上端からその支持部３ｂを本体部２の内部に挿入することにより、本体部２の上端に設置される。
【００２６】
＜グリップ部４＞
グリップ部４は、利用者が把持する把持部４ａ、及び本体部２に設けられる支柱部４ｂからなるＴ形状の部材である。そして、本体部２に嵌め込まれた支柱部４ｂの内径は、本体部２の直径より大きいため、グリップ部４は、本体部２の長手方向、すなわち、上端又は下端へ自由に移動させることができる。また、グリップ部４は、手で握りやすく、体重をかけても安定して握ることができるように形成されている。
【００２７】
＜移動防止部５＞
移動防止部５は、本体部２の中間から下端にかけて巻きつけられる塩化ビニールシートである。本体部２に巻きつければ、本体部２の厚みが増すため、移動防止部５は、本体部２の外径と略同一の内径を有する位置調整部７が本体部２の下方に移動することを防止する役目を果たしている。
【００２８】
＜弾性体部６＞
弾性体部６は、伸縮自在な圧縮コイルばねであり、その素材は、ピアノ線、硬鋼線、ステンレス線等、伸縮自在であれば特に限定されないが、利用者の脇の下への負担を考慮し、耐久性及び弾力性があるピアノ線が特に好ましい。
【００２９】
弾性体部６は、弾性体部６の内側に脇当部３における支持部３ｂが挿入されて、脇当部３と本体部２との間に取付けられる。
【００３０】
＜位置調整部７＞
図２に示すように、位置調整部７は、一部に開放部７０ａを有するＣ型円筒状の取付輪部７ａ、及び円筒状の円筒部７ｂで構成されている。そして、位置調整部７は、グリップ部４の下端に取付けられる。
【００３１】
円筒部７ｂの長さは、取付輪部７ａの約２分の１であり、取付輪部７ａは、円筒部７ｂの内側に嵌め込まれるため、取付輪部７ａの外径は、少なくとも円筒部７ｂの内径と同一又はそれ以下である。
【００３２】
また、位置調整部７は、本体部２に嵌め込んで使用されるので、取付輪部７ａの内径は、少なくとも本体部２の外径と略同一であり、本体部２に固定される構造となっている。
【００３３】
更に、円筒部７ｂの外径とグリップ部４における支柱部４ｂの外径、及び円筒部７ｂの内径とグリップ部４における支柱部４ｂの内径は同一である。位置調整部７の上端に設置されるグリップ部４は、そのため、位置調整部７より下端に移動することはない。すなわち、位置調整部７は、グリップ部４が本体部２の下端に移動することを留める、いわゆるストッパーとしての役目を果たしている。
【００３４】
ここで、前述したように、位置調整部７は、本体部２に固定される構造であり、通常、本体部２の長手方向へ移動することはない。しかし、位置調整部７は弾性変形するため、この弾性変形の特性を用いることにより、本体部２の長手方向へ移動させることが可能となる。
【００３５】
そこで、具体的に弾性変形を説明する。円筒部７ｂが嵌め込まれていない取付輪部７ａにおいて、その取付輪部７ａに形成された開放部７０ａの両端部７０ｂ・７０ｃに親指等を添えて、指の力で開放部７０ａの幅を少し広げる。
【００３６】
そうすると、本体部２と取付輪部７ａとの間に隙間が形成されるので、その隙間が形成された状態で本体部２の長手方向へ位置調整部７を手で移動させて、位置調整部７の位置を調整する。
【００３７】
そして、位置調整部７の位置を移動させれば、それに伴いグリップ部４の位置も移動することとなり、位置調整部７は、グリップ部４の位置を細かく調整ができる役目も果たしている。
【００３８】
開放部７０ａの幅を広げた後は、開放部７０ａの両端部７０ｂ・７０ｃから親指等を離すと、弾性力によって、開放部７０ａの幅が元の幅まで戻るこことなる。
【００３９】
そして、開放部７０ａの幅が元の幅まで戻ったら、取付輪部７ａに円筒部７ｂを嵌め込んで、位置調整部７が再び本体部２に固定される。このように位置調整部７は弾性変形するので、その素材は樹脂が特に好ましい。
【００４０】
[形成方法・使用方法]
次に、本考案の第１実施形態に係る杖１の形成方法及び使用方法について説明する。
【００４１】
まず、形成方法を説明すると、本体部２の下端にゴム製の接地部９を嵌め込み、その本体部２の中間から下端にかけて、移動防止部５を本体部に巻き付けて、本体部２に厚みを持たせる。
【００４２】
本体部２の上端から位置調整部７及びグリップ部４の順番で本体部２の略中間までこれらを差し込む。そして、弾性体部６の内側に脇当部３の支持部３を挿入させて、その状態で、本体部２の上端に位置調整部７を嵌め込み、本考案の第１実施形態の杖１が完成する。
【００４３】
また、脇当部３は、容易に本体部２から脱着できる構造となっている。そのため、杖１から脇当部３及び弾性体部６を外し、その代わりに不図示であるゴム製のキャップを本体部２の上端に取付ければ、手間をかけることなく本体部２を簡易な杖とすることができる。
【００４４】
次に、使用方法を説明すると、利用者は、上記の手順で完成した杖１の脇当部３の脇当て３ａに脇をあてるとともに、グリップ部４の把持部４ａを握って使用する。
【００４５】
このとき、前述した方法で位置調整部７の取付輪部７ａを弾性変形させることのより、図３に示すように、本体部２の長手方向へグリップ部４を自由に移動させて留めることができ、グリップ部４の位置の微調整が可能となる。
【００４６】
以上のように本考案の第１実施形態に係る杖１は、アルミニウム製のパイプ材からなる本体部２と、その本体部２の上端に着脱可能に備えられ、利用者の脇の下に当てるための脇当部３と、その脇当部３と本体部２との間に備えられ、伸縮自在なコイル状の弾性体部６とを備えている。そのため、杖１を長時間使用しても、耐久性及び弾力性を有する弾性体部６の緩衝機能により、利用者の脇の下への負担を小さくすることができる。
【００４７】
また、本考案の第１実施形態に係る杖１は、本体部２に設けられ、利用者が把持するグリップ部４と、そのグリップ部４の下端に備えられ、取付輪部７ａに形成された開放部７０ａの両端部７０ｂ・７０ｃに親指等を添えてその開放部７０ａを弾性変形させ、本体部２の長手方向に移動させ留めることにより、グリップ部４の位置を調整させる位置調整部７と、本体部２に巻きつけられ、位置調整部７を本体部２の下端に移動させることを防止する移動防止部５とを備えている。そのため、グリップ部４の下端に設けられた弾性変形する位置調整部７を本体部２の長手方向に移動させるだけで、グリップ部４の位置を微調整することができると共に、本体部２に巻きつけられた移動防止部５によって、位置調整部７が本体部２の下方へ移動することを防止させることができる。
【００４８】
〔第２実施形態〕
次に、本考案の杖の第２実施形態を図４及び図５に基づいて詳細に説明する。図４は、第２実施形態に係る杖の全体図、図５は、第２実施形態に係る杖の使用状態を示す全体図である。なお、以降の説明では上記第１実施形態と異なる構成についてのみ説明し、同じ構成については、同一符号を付して、その説明を省略する。
【００４９】
図４に示すように、高さ調整部８は、弾性体部６と本体部２との間に挟み込ませて使用されるものであって、杖１の高さを調整するために用いられるものである。そして、高さ調整部８の長さは５０ｍｍ、８０ｍｍ、１００ｍｍのいずれでもよく、本体部２と異なるが、それ以外、つまり、素材、直径、形状等は本体部２と同一である。
【００５０】
ここで、高さ調整部８を杖１に取付けるための方法を説明する。弾性体部６が取付けられた状態で脇当部３を弾性体部６と共に本体部２から取り外す。そして、その状態で高さ調節部８の内側に脇当部３の支持部３ｂを挿入する。そして、高さ調節部８と弾性体部６が嵌め込まれた支持部３ｂの下端側を本体部２の上端から挿入して、本体部２と接続させる。
【００５１】
すると、高さ調節部材８の分だけ脇当て３ａの位置が高くなるため、杖１全体の高さを調整することができる。また、図５に示すように、長さの異なる高さ調整部８を複数本用いて、杖１の高さを微調整することも勿論可能である。
【００５２】
本考案の第２実施形態に係る杖１は、弾性体部６と本体部２との間に挟み込ませて、高さを調整させる高さ調整部８を備えている。そのため、高さ調整部を弾性体部８と本体部２との間に挟み込むだけで杖の高さを調整することができるので、ボルト等の着脱の作業が不要となり、手間と時間をかけずに利用者の身長にあった状態に杖の高さを調整することができる。
【００５３】
以上、本考案者によってなされた考案を実施形態に基づき具体的に説明したが、本考案は上記実施形態に限定されるものではなく、その要旨を逸脱しない範囲で種々変更可能であることは言うまでもない。
【符号の説明】
【００５４】
１      杖
２      本体部
３      脇当部
３ａ    脇当て
３ｂ    支持部
４      グリップ部
４ａ    把持部
４ｂ    支柱部
５      移動防止部
６      弾性体部
７      位置調整部
７ａ    取付輪部
７ｂ    円筒部
７０ａ  開放部
７０ｂ・７０ｃ  両端部
８      高さ調整部
９      接地部
【図１】
0003205016.tif 000003
【図２】
0003205016.tif 000004
【図３】
0003205016.tif 000005
【図４】
0003205016.tif 000006
【図５】
0003205016.tif 000007